(57)【要約】【課題】  商用交流電源を使用する各電気機器が電圧検知回路を内蔵していない場合であっても、入力電圧の異常を検知して、異常状態を通知することができる電圧検知コンセントボックスを提供することにある。【解決手段】  電圧検知コンセントボックス内に、外部からの交流電源の入力電圧を検知する電圧検知手段と、検知した電圧と予め記憶した電圧の閾値とを比較する判別手段および警告通知手段を設けることにより、商用交流電源の電圧を監視し、電圧の異常を検知した場合に異常状態を通知する。【選択図】図１
2008096130.tif 000002
【特許請求の範囲】
【請求項１】
入力電圧を検知する電圧検知コンセントボックスにおいて、
外部からの交流電源を入力する電源入力部と、
該電源入力部が入力した交流電圧を検知する電圧検知部と、
該電圧検知手段が検知した入力電圧を、予め記憶してある電圧の閾値と比較する判別部と、
該判別部による判別の結果、前記入力電圧が所定の範囲内である場合は、該入力電圧を外部に出力する電源出力部と、
前記判別部による判別の結果、前記入力電圧が所定の範囲外である場合は、異常であることを通知する通知部とを備えることを特徴とする電圧検知コンセントボックス。
【請求項２】
前記電圧検知コンセントボックスはさらに、
前記閾値を調整する閾値調整部を備え、
前記判別部は、前記調整された閾値と、前記入力電圧とを比較することを特徴とする請求項１記載の電圧検知コンセントボックス。
【請求項３】
前記電圧検知コンセントボックスはさらに、
前記判別部による判別の結果、前記入力電圧が所定の範囲外である場合は、該入力電圧の出力信号を出力する信号出力部を備えることを特徴とする請求項１記載の電圧検知コンセントボックス。
【発明の詳細な説明】
【技術分野】
【０００１】
本発明は、電圧検知コンセントボックスに関し、特に、商用の交流電力のコンセントから電力の供給を行う機器に対し、入力電圧の異常を検知することで異常状態を表示・通知する電圧検知コンセントボックスに関する。
【背景技術】
【０００２】
交流電力の電圧異常を検知する技術が、特許文献１に記載されている。また無停電電源装置(以降ＵＰＳと記載する)を接続し電圧を監視することで、商用交流電源の電圧異常に対応する方法もある。
【０００３】
【特許文献１】特開2005-10067号公報
【発明の開示】
【発明が解決しようとする課題】
【０００４】
上記の特許文献１では、各電気機器が電圧検知回路を内蔵する必要がある。また、ＵＰＳは高価であるため設備コストが増加する。
【０００５】
本発明の目的は、商用交流電源を使用する各電気機器が電圧検知回路を内蔵していない場合であっても、電圧の異常を検知し異常状態を通知することができる電圧検知コンセントボックスを提供することにある。
【課題を解決するための手段】
【０００６】
上記目的を達成するために本発明は、コンセントボックスに交流電圧検知回路、検知電圧の閾値調整回路、信号出力回路を内蔵し、異常発生時に警告を表示する手段を備える。
【発明の効果】
【０００７】
本発明によれば、電圧検知機能を持たない電気機器であっても、商用交流電源の電圧異常を検知し、異常状態を通知することを安価に実現することができる。
【発明を実施するための最良の形態】
【０００８】
本発明の実施形態について、以下図面を用いて詳細に説明する。
【実施例１】
【０００９】
第１の実施例について図１、図２、図３、図４を用いて説明する。
【００１０】
コンセントボックス１００は、商用交流電源１０１より電源入力部１０２に電力を供給される。入力された交流電力は電圧検知手段１０３によって電圧値を検出し、電圧値信号２００として判別手段１０４に通知され判別される。判別の基準としては図３、図４に示すある一定の監視周期内に電圧値が下限値を一定回数下回るあるいは上限値を一定回数上回ることで異常と判断する。この場合の一定回数は複数回であることが望ましい。また入力電圧に対しノイズの影響を軽減するために高周波成分を取り除くフィルター回路を設けることが望ましい。上限値、下限値については定格値１０５を用いるかあるいは閾値調整手段１０６を設けることで閾値を設定し閾値入力信号２０１として判別手段１０４に入力することで設定することが可能である。図３、図４に示す上限値、下限値は実効値であり、定格値１０５または閾値調整手段１０６により設定される閾値の値をルート２倍することで算出される。図３は正常状態を、図４は異常状態の電圧状態の例を示す。異常状態と判別された場合、判別手段１０４は警告信号２０２を警告通知手段１０７に通知し異常状態を通知する。異常状態の通知手段としてはＬＥＤによる視覚的な表示やスピーカによる音声の発信により通知が考えられる。
【００１１】
以下、図２のフローチャートに従い動作の流れを説明する。
（Ｓ１００）コンセントボックス１００は、商用交流電源１０１から電源入力部１０２に交流電力を伝達する。
（Ｓ１０１）電源入力部１０２に入力された交流電力を電圧検知手段１０３に伝達する。
（Ｓ１０２）電圧検知手段１０３は入力された電圧の電圧値を検出し、電圧値信号２００として判別手段１０４に入力する。
（Ｓ１０３）入力された電圧値があらかじめ定められた定格値１０５の範囲内あるいは閾値調整手段１０６から入力される閾値入力信号２０１により設定された閾値の範囲内に納まっているかを判別する。
（Ｓ１０４）判別手段１０４は異常状態であると判断し、警告信号２０２を警告通知手段１０７に通知する。
（Ｓ１０５）警告信号２０２を受けた警告通知手段１０７は異常状態を通知する。
（Ｓ１０６）電源入力部１０２から入力される交流電力は、電源出力部１０８に伝達する。
（Ｓ１０７）電源入力部１０２から接続された電気機器１０９に交流電力を供給する。
【実施例２】
【００１２】
第２の実施例について図５、図６を用いて説明する。本実施例は、第１の実施例の構成に信号出力回路１１０を備えることで電圧異常発生時の障害解析を容易にするものである。この場合、電源出力部チャネル１１１２，電源出力部チャネル２１１３，電源出力部チャネル３１１４の各チャネル毎の電圧を電圧検知手段１０３で検知し、判別手段１０４により判別する。警告信号２０３は、各チャネル毎の判別結果を警告通知手段１０７および信号出力回路１１０に入力される。この場合、警告通知手段１０７はチャネル別の情報を出力出来ることが望ましい。警告信号２０２が入力された信号出力回路１１０は、接続されているサーバ等の情報機器１１１に対し異常通知信号２０３を出力する。警告信号２０２および異常通知信号２０３に判別結果だけでなく、電圧値の情報を加えることで情報機器１１１によりコンセントボックスに接続される電気機器１０９の各電圧を監視することが可能である。
【００１３】
以下、図６のフローチャートに従い動作の流れを説明する。
（Ｓ２００）コンセントボックス１００は、商用交流電源１０１から電源入力部１０２に交流電力を伝達する。
（Ｓ２０１）電源入力部１０２に入力された交流電力を電圧検知手段１０３に伝達する。
（Ｓ２０２）電圧検知手段１０３は入力された電圧の電圧値を検出し、電圧値信号２００として判別手段１０４に入力する。
（Ｓ２０３）入力された電圧値があらかじめ定められた定格値１０５の範囲内あるいは閾値調整手段１０６から入力される閾値入力信号２０１により設定された閾値の範囲内に納まっているかを判別する。
（Ｓ２０４）判別手段１０４は異常状態であると判断し、警告信号２０２を警告通知手段１０７および信号出力回路１１０に通知する。
（Ｓ２０５）警告信号２０２を受けた警告通知手段１０７は異常状態を通知する。
（Ｓ２０６）信号出力回路１１０は接続されている情報機器１１１に通知する。
（Ｓ２０７）電源入力部１０２から入力される交流電力を電源出力部１１２、１１３、１１４に伝達する。
（Ｓ２０８）チャネル各の電源入力部１１２、１１３、１１４から接続された電気機器１０９に交流電力を供給する。
【図面の簡単な説明】
【００１４】
【図１】実施例１の処理を示すブロック図である
【図２】実施例１の処理を示すフローチャートである
【図３】交流電圧波形の正常状態である
【図４】交流電圧波形の異常状態である
【図５】実施例２の処理を示すブロック図である
【図６】実施例２の処理を示すフローチャートである
【符号の説明】
【００１５】
１００・・・コンセントボックス
１０１・・・商用交流電源
１０２・・・コンセントボックス１００の電源入力部
１０３・・・コンセントボックス１００の電圧検知手段
１０４・・・コンセントボックス１００の判別手段
１０５・・・コンセントボックス１００の定格値
１０６・・・コンセントボックス１００の閾値調整手段
１０７・・・コンセントボックス１００の警告通知手段
１０８・・・コンセントボックス１００の電源出力部
１０９・・・電気機器
１１０・・・コンセントボックス１００の信号出力回路
１１１・・・情報機器
１１２・・・コンセントボックス１００の電源出力部チャネル１
１１３・・・コンセントボックス１００の電源出力部チャネル２
１１４・・・コンセントボックス１００の電源出力部チャネル３
２００・・・電圧値信号
２０１・・・閾値入力信号
２０２・・・警告信号
２０３・・・異常通知信号
【図１】
2008096130.tif 000003
【図２】
2008096130.tif 000004
【図３】
2008096130.tif 000005
【図４】
2008096130.tif 000006
【図５】
2008096130.tif 000007
【図６】
2008096130.tif 000008